(57)【要約】【課題】機器の使用できる限界温度付近において、機器が使用不可能となる温度を予測し、効率的に温度調整することのできる記録再生装置を提供する。【解決手段】ＨＤＤ３０の温度を測定する温度センサ３１と、使用環境温度を測定する温度センサ３４とを備え、使用環境温度を測定し、ＨＤＤの温度を予測して効率的にＨＤＤの温度を制御することができる。【選択図】図２
2009140595.tif 000002
【特許請求の範囲】
【請求項１】
ディスク状の記録媒体に信号を記録再生する記録再生装置において、
機器全体の制御を行う制御部と、
前記記録再生装置の温度を測定する温度測定手段１と、
記録再生装置の使用環境温度を測定する温度測定手段２と、
前記記録媒体の温度を制御する温度制御手段とを備え、
前記制御部は、前記温度測定手段1と前記温度測定手段２から取得した測定結果を比較し、比較結果を基に前記記録再生手段の温度変化が発生するか否かを判断し、判定結果を基に温度制御手段を制御することを特徴とする記録再生装置。
【請求項２】
請求項１記載の記録再生装置において、
前記温度制御手段は、前記記録媒体を回転させることによって温度を制御することを特徴とする記録再生装置。
【請求項３】
・  請求項１記載の記録再生装置において、
前記温度制御手段は、ディスクに信号を書き込むことによって温度を制御することを特徴とする記録再生装置。
【請求項４】
請求項１ないし３のいずれかに記載の記録再生装置において
少なくとも一つ以上の温度制御手段を有することを特徴とする記録再生装置。  
【請求項５】
請求項４記載の記録再生装置において、
前記制御部は、
前記記録再生装置の動作状況に応じて温度制御手段を選択することを特徴とする記録再生装置。
【請求項６】
請求項１記載の記録再生装置において、
前記制御部は、前記記録再生装置の型式に応じて温度制御手段を選択することを特徴とする記録再生装置。
【請求項７】
請求項１記載の記録再生装置において、  
さらに表示部を有し、
前記温度比較制御処理の判定結果を基にその結果を前記表示部に表示することを特徴とする記録再生装置。
【発明の詳細な説明】
【技術分野】
【０００１】
本発明は、記録再生装置に係り、特にＤＶＤ（Ｄｉｇｉｔａｌ  Ｖｅｒｓａｔｉｌｅ  Ｄｉｓｃ）ビデオカメラおよびＨＤＤ（Ｈａｒｄ  Ｄｉｓｋ  Ｄｒｉｖｅ）ビデオカメラに好適に利用できるものである。
【背景技術】
【０００２】
近年、映像、音声等のデジタルデータを記録する小型で大容量の記録媒体として、ＤＶＤや、ハードディスクドライブ（以下、ＨＤＤ）といったディスクを媒体にした機器が実用化されている。これらのディスク装置は、ビデオテープと比べると、ランダムアクセスによる頭だし、あるいは編集作業などを容易に行うことができ、操作性に優れており、広く一般的に用いられるようになってきた。
【０００３】
また、従来、ビデオカメラとＶＴＲ（Ｖｉｄｅｏ  Ｔａｐｅ  Ｒｅｃｏｒｄｅｒ）を一体に組み込んだカメラ一体型ＶＴＲが広く普及しており、屋内外で使用されていた。そして近年では、ＤＶＤやＨＤＤなどを記録媒体として用いた記録再生装置も市場に登場してきた。
【０００４】
ところで、ＨＤＤは、低温で記録性能が低下することが知られている。ＨＤＤを備えた記録再生装置として、たとえばＨＤＤビデオカメラなどポータブル用途のものは、屋外での使用が想定される。スキー場での記録など寒い場所や低温の気候に露出して使用される可能性は十分ある。このような低温時における記録パフォーマンスの低下が問題視されている。
【０００５】
そこで従来では、たとえばＨＤＤに温度センサを設けて、所定の温度以下では記録動作を実行させないものがある。
【０００６】
たとえば、記録可能な温度として設定された所定の温度範囲について、その温度の下限値以下では、その記録動作を不可とし、その温度の下限値以上のときのみ記録動作を許可することで、上記のような低温時の記録動作によるデータ破壊を防止しようとするものである。
【０００７】
設定温度範囲の下限値以下（低温）であることを検出した場合、ＨＤＤの低温状態を回避する方法として、付加的なヒーターを装着しＨＤＤの温度を制御するものや、簡易的なヒーティング方法としては、ＨＤＤのメディアを回転させることによりモータの発熱を利用してＨＤＤを加温するといったものがある。（例えば、特許文献１参照。）
【特許文献１】特開２００６−２０２４６２号公報
【発明の開示】
【発明が解決しようとする課題】
【０００８】
しかしならが、前記従来の構成では、ＨＤＤの温度が所定温度以下になればＨＤＤの動作を停止し、ＨＤＤを加温することになるが、外気温（使用環境温度）が低下している状況にある場合、ＨＤＤの温度は直ちに上昇するとは限らない。また、使用環境温度が十分低い場合は、ＨＤＤを加温したとしてもＨＤＤが使用可能な温度まで上昇しない可能性も考えられる。
【０００９】
そのため、使用環境温度の変化によっては、加温することによって無駄にバッテリーを消費してしまうという課題を有していた。
【００１０】
また、所定温度以下では、ＨＤＤにアクセスすることが禁止されているため、たとえばＨＤＤビデオカメラであれば、ＨＤＤに動画データを記録するという、本来の使用が制限されてしまう。記録中であっても温度が所定温度以下となると、ＨＤＤのアクセスが制限されてしまい、取りたい映像を取ることができない。使用者にとっては、記録したい時に撮影できないことになってしまう。
【００１１】
本発明は、前記従来の課題を解決するもので、効率的にＨＤＤの温度を制御する機能を有する記録再生装置を提供することを目的とする。
【課題を解決するための手段】
【００１２】
従来の課題を解決するために、本発明の記録再生装置は、ディスク状の記録媒体に信号を記録再生する記録再生装置において、機器全体の制御を行う制御部と、前記記録再生装置の温度を測定する温度測定手段１と、記録再生装置の使用環境温度を測定する温度測定手段２と、前記記録媒体の温度を制御する温度制御手段とを備え、前記制御部は、前記温度測定手段1と前記温度測定手段２から取得した測定結果を比較し、比較結果を基に前記記録再生手段の温度変化が発生するか否かを判断し、判定結果を基に温度制御手段を制御することを特徴とするものである。
【００１３】
また、本発明の記録再生装置は、前記温度制御手段は、前記記録媒体を回転させることによって温度を制御することを特徴とするものである。
【００１４】
また、本発明の記録再生装置は、前記温度制御手段は、ディスクに信号を書き込むことによって温度を制御することを特徴とするものである。
【００１５】
また、本発明の記録再生装置は、少なくとも一つ以上の温度制御手段を有することを特徴とするものである。
【００１６】
また、本発明の記録再生装置は、前記制御部は、前記記録再生装置の動作状況に応じて温度制御手段を選択することを特徴とするものである。
また、本発明の記録再生装置は、前記制御部は、前記記録再生装置の型式に応じて温度制御手段を選択することを特徴とするものである。
【００１７】
また、本発明の記録再生装置は、さらに表示部を有し、前記温度比較制御処理の判定結果を基にその結果を前記表示部に表示することを特徴とするものである。
【発明の効果】
【００１８】
以上のように、本発明の記録再生装置によれば、使用環境温度とＨＤＤの温度を比較することで、ＨＤＤの温度が低下するのか、上昇するのかを予測することが可能となることから、電源起動時には、使用環境温度とＨＤＤの温度の差によって、最適な温度制御方法を選択することができる。従来と比較すると、温度制御により生じる消費電力を削減することが可能となる。
【００１９】
また、使用中であれば、記録再生装置の動作状況（記録中、停止中など）に応じて、制御可能であり、記録中であれば、使用環境温度が下限値より下回ればＨＤＤの温度も低下する可能性があるので、その前に温度制御方法により加温することが可能である。また、使用者にその旨を通知することが可能となるため、温度低下による記録中断を予測できる。
【発明を実施するための最良の形態】
【００２０】
以下に、本発明の記録再生装置の実施の形態を図面とともに詳細に説明する。
（実施の形態）
図１は、本発明の実施の形態における記録再生装置１の内部構成例について示したブロック図である。
【００２１】
実施の形態の記録再生装置１は、図示するようにＨＤＤ３０を内蔵した構成とする。そして、このように内蔵されたＨＤＤ３０に対して画像データの記録および再生を行うようにする。
【００２２】
図１において、まず、撮像レンズ１１から取り込まれた被写体映像は、ＣＣＤセンサである映像素子１２の受光平面に結像させ、その像の光の明暗によって電気信号に変換される。さらに変換された電気信号は、アナログ−デジタル（Ａ／Ｄ）変換部１３によりデジタル信号に変換され、カメラ信号処理部１４に入力される。カメラ信号処理部１４からの出力は、画像データに変換され、例えば液晶パネル（以下、ＬＣＤ）などの表示部１８に入力され表示される。
【００２３】
記録時において、カメラ信号処理部１４から出力された画像データは、例えば動画であればＭＰＥＧ規格、静止画であればＪＰＥＧ規格等の、周知の圧縮方法により画像圧縮・伸長処理部１６によって圧縮される。主制御部２０の下で、圧縮されたデータは記録メディアコントローラ２３を経由してＨＤＤ３０の記録媒体に記録される。ここで、画像データは、半導体メモリ２４に記録することもできる。半導体メモリ２４は、ＳＤメモリカードなどの取り外し可能な半導体メモリが利用可能である。また、ＨＤＤ３０に変えて、光ディスクが用いられてもよい。
【００２４】
主制御部２０に含まれるＣＰＵは、起動されたプログラムに基づいて記録再生装置１全体の制御や、演算処理を行う。例えば、操作入力部１７からのユーザー入力操作、および、上記に示したようにＨＤＤ３０への画像データの格納などを行う。
【００２５】
ＲＯＭ２１には、主制御部２０に含まれるＣＰＵの動作プログラム、プログラムローダー、各種演算係数、プログラムで用いるパラメータ等が記憶される。後に、実施の形態として示す処理動作を実行するための制御プログラムを格納する。また、この制御プログラムは、ＨＤＤ３０に格納することも可能である。
【００２６】
ＨＤＤ３０は、図１に示すように温度センサ１（３１）が内蔵されている。この場合の温度センサ１（３１）は、ＨＤＤ３０の内部的な処理を行うものとして内蔵されている。この場合のＨＤＤ３０は、内部にＣＰＵが備えられていて各種必要な処理を内部的に実行している。そして、この実施の形態の場合では、ＨＤＤ３０に内蔵される温度センサ１（３１）によって検出される温度値の情報を、主制御部２０が所定のコマンドを入力することによってＨＤＤ３０側から読み出すことが可能とされる。また、一般に、ＨＤＤ３０は振動に弱いことが知られている。そのため、ＨＤＤ３０は、ゲル状の素材によって覆われている。また、湿度の変化による結露にも弱いため、ＨＤＤ３０は記録再生装置１の内部で密閉されてある。
【００２７】
バッファＲＡＭ１５には、記録再生時に、画像データがバッファリングされる。例えば、記録時においては、ビデオ信号処理部１４から出力された画像データは、画像圧縮・伸長部１６によって圧縮が施された画像データとしてバッファリングされ、これがＨＤＤ３０に記録される。また、再生時には、ＨＤＤ３０から読み出された画像データは、バッファリングされ画像圧縮・伸長部１６によって処理されて表示部１８に表示される。
【００２８】
操作入力部１７は、記録再生装置１の筐体表面に備える入力デバイスであって、使用者が各種操作の入力や、データの入力を行う。記録モード、再生モードを変更するためのモードダイアル、各種設定の変更を行うためのメニューを表示するメニューボタン、記録を開始する記録ボタンなどが操作入力部１７にあたる。例えば、記録ボタンを押して記録を開始するというように、使用者によって操作入力部１７から入力された情報は、主制御部２０に伝達され、伝達された情報に応じて必要な演算や制御を実行する。
【００２９】
表示部１８は、例えばＬＣＤのような表示ディスプレイであって、記録状態であれば撮影中のカメラ映像を表示し、再生状態であれば記録したデータの再生などを行う。また、記録状態や、設定状態などを知らせる各種情報表示や、警告表示を行う。
【００３０】
外部インターフェース１９は、例えばＵＳＢインターフェースやＩＥＥＥ１３９４インターフェースなど、外部機器との間でのデータ通信を行うために備える。例えばパーソナルコンピュータと接続し、記録したデータを記録再生装置１からパーソナルコンピュータへコピーするなどの各種データの送受信が行われる。
【００３１】
バッテリー４１は、取り外し可能または、記録再生装置１に内蔵された電池であって、電源供給部４０を経由し記録再生装置１に電源を供給する。図１では、バッテリーのみに対応する構成となっているが、商用交流電源からも入力することは可能である。
【００３２】
ところで、この図１に示した実施の形態の記録再生装置１のように、記録媒体としてＨＤＤ３０に対する記録、再生を行う場合には、先にも述べたとおり、低温時のパフォーマンスが低下することが広く知られている。そして、このことからＨＤＤ３０を備えた記録再生装置１では、低温時に記録動作が実行されてしまうとデータ破壊を招く可能性があった。
【００３３】
従来においては、低温時の記録によるデータ破壊を防止する方法として、温度センサ１（３１）でＨＤＤ３０の温度を測定し、その測定された温度が所定の使用限界温度Ｔｈ以下になれば、記録動作を中止または禁止する。さらに、ＨＤＤ３０の温度上昇を図るため、ＨＤＤ３０のメディアを回転することで温度上昇を図る温度制御部１（３２）を駆動する。また、ＨＤＤに対するダミー信号の書き込み処理を行うことで温度上昇を図る温度制御部２（３３）を駆動する。ここでは、使用限界温度Ｔｈを０度と設定する。それらの、加温によって、使用限界温度Ｔｈを超えるまで温度が上昇すれば使用可能となる。
【００３４】
従来の方法であると、使用環境温度が低下傾向にある場合は、温度制御手段を駆動したとしても、使用限界温度Ｔｈまで達するかどうかは使用環境温度に依存し、使用限界温度まで復帰しない、または、ＨＤＤ３０の加温に時間がかかることとなり消費電力を浪費してしまう。
【００３５】
そこで、本発明の実施の形態では、このように消費電力の浪費を防止し、使用者の使い勝手が向上するように以下のような動作を行うものとする。
【００３６】
本発明の記録再生装置１の処理の流れを図２のフローチャートを用いて説明する。記録再生装置１内部に温度センサ２（３４）を備え、使用環境温度Ｔｏｕｔが測定できる構成とする。次に、図１においても説明したように、ＨＤＤ３０には、温度センサ１（３１）が備えられている。本発明の実施の形態では、まず、温度センサ１（３１）から検出される温度値Ｔｈｄｄと、温度センサ２（３５）から検出される温度値Ｔｏｕｔを測定する（ステップＳ２０１）。
【００３７】
次に、ステップ２０２は、記録再生装置１の動作状況を判定するステップである。動作状況とは起動時、記録中、停止中（その他）のいずれかの状態にあるとする。例えば、電源起動状態、記録状態、停止状態によってＨＤＤ３０が受ける熱の影響が変わる可能性がある。例えば、記録再生装置１の電源を切った状態で、使用環境温度を一定とし、ある一定時間放置されているとすれば、ＨＤＤ３０の温度は使用環境温度とほぼ同じになるはずである。また、記録再生装置１の電源を入れた状態では、ＨＤＤ３０以外の電子回路が発熱することの影響を受けて、ＨＤＤ３０の温度は使用環境温度よりは多少高い温度になることが想定される。さらに、記録中には、すでにＨＤＤ３０はメディアの回転されており温度制御手段１による温度制御はできない。上記理由から動作状況に分類して温度制御を行った方が効率的である。
【００３８】
ステップ２０３は、型式確認のステップである。例えば、デジタルビデオカメラにおいて製品仕様の異なった幾つかのモデルが存在する。同じ時期の発売であっても、１ＣＣＤモデルであったり、３ＣＣＤモデルであったり、半導体メモリ部を除いたモデルであったり数種類のモデルが存在する。３ＣＣＤモデルと、１ＣＣＤモデルでは、ＨＤＤ３０に影響する温度は変わってくると考えられる。また、プログラムはコンパイルオプションなど型式によって別々であったとしても、温度制御部に関するプログラムは共通である場合も考えられる。上記理由から型式によって温度制御を行った方が効率的である。このステップＳ２０３では、記録再生装置１の実際動作しているモデルを確認する。本発明の実施の形態では、１ＣＣＤモデルと３ＣＣＤモデルの２種類が存在するものとする。本発明の実施の形態ではステップ２０３で情報を取得するようにしているが、例えば、１ＣＣＤ、３ＣＣＤのように使用中に形態が変化しないものに関しては、起動中に１度情報を取得しておけば、必ずしも毎回、型式の情報を取得する必要は無い。
【００３９】
ステップＳ２０４において温度比較制御処理を実行する。図３は、記録再生装置１が起動する場合の温度比較制御処理の内容を表にしたものである。図４は、記録再生装置１が、停止中の温度比較制御処理の内容を表にしたものである。図５は、温度制御装置１が記録中の温度比較制御処理の内容を表にしたものである。図６は、図３の起動時のケースをフローチャートにしたものである。温度比較制御手段の選択方法は、実際には、記録再生装置１のモデルや、外装、回路構成によってＨＤＤ３０が受ける温度変化が変わってくるので、実験によってあらかじめデータを取得して、温度のパラメータを決定することになる。
【００４０】
まずは、起動時における温度比較制御処理を図６のフローチャートを基に説明する。ここでは、説明のために、図２におけるステップＳ２０２の動作状況が起動時、ステップＳ２０３の型式は１ＣＣＤが選択されたものとする。また温度としては、使用環境温度Ｔｏｕｔは−２度、ＨＤＤ３０の温度は−９度とする。
【００４１】
まず、ステップＳ７０１において使用環境温度Ｔｏｕｔを確認する。ここでは、使用環境温度Ｔｏｕｔを−２度としているので、ステップＳ７２１へ進む。ステップＳ７２１では、ＨＤＤ３０の温度Ｔｈｄｄを確認する。ここでは、−９度としているのでステップＳ７２５へ進む。ステップＳ７２５では、１ＣＣＤか３ＣＣＤか確認する。ここでは、１ＣＣＤが選択されているので、ステップＳ７２８にて、ＨＤＤ使用不可とし、ステップＳ７２９において温度制御手段２を駆動する。
【００４２】
本発明の記録再生装置１は、図２に示す一連の処理を定期的に行うものである。そのため、上記起動後は、図４に示す停止中の温度比較制御処理の内容の表を基に温度制御を行う。図７は、図４の停止中の温度比較制御処理の対応表をフローチャートにしたものである。ここでは、３０秒おきに処理を実行するものとする。
【００４３】
さらに、３０秒経過後に、温度測定、動作状況、型式の取得を行う。ここでの、測定温度は、使用環境温度Ｔｏｕｔは、−２度、ＨＤＤ３０の温度は、起動後の温度制御手段２の駆動により温度上昇がされたとして−４度とする。また、動作状況は、停止状態となっている。
【００４４】
まず、ステップＳ８０１において使用環境温度Ｔｏｕｔを確認する。ここでは、使用環境温度Ｔｏｕｔを−２度としているので、ステップＳ８２１へ進む。ステップＳ８２１では、ＨＤＤ３０の温度Ｔｈｄｄを確認する。ここでは、−４度としているのでステップＳ８３２へ進む。ステップＳ８３２では、必要であれば、ＨＤＤ使用不可とし、ステップＳ８２４において、温度制御手段１を駆動する。
【００４５】
さらに３０秒経過後も同様に、温度測定、動作状況、型式の取得を行う。ここでの、測定温度は、使用環境温度Ｔｏｕｔは、−２度、ＨＤＤ３０の温度Ｔｈｄｄは、起動後の温度制御手段１の駆動により温度上昇がされたとして３度とする。
【００４６】
まず、ステップＳ８０１において使用環境温度Ｔｏｕｔを確認する。ここでは、使用環境温度Ｔｏｕｔを−２度としているので、ステップＳ８２１へ進む。ステップＳ８２１では、ＨＤＤ３０の温度Ｔｈｄｄを確認する。ここでは、３度としているのでステップＳ８２２へ進む。ここでＨＤＤ３０は使用可能となり、ＨＤＤ３０に対して記録再生が可能となる。また、使用環境温度Ｔｏｕｔと、ＨＤＤ３０の温度Ｔｈｄｄに変化が無ければ、状態は継続される。
【００４７】
ここまでは、使用環境温度Ｔｏｕｔが−２度と一定でＨＤＤ３０の温度Ｔｈｄｄが温度上昇する例を示した。次は、使用環境温度Ｔｏｕｔが変化した場合を説明する。
【００４８】
使用環境温度Ｔｏｕｔ−９度でＨＤＤの温度Ｔｈｄｄが３度となった場合を考えてみる。まず、ステップＳ８０１において使用環境温度Ｔｏｕｔを確認する。ここでは、使用環境温度Ｔｏｕｔを−９度としているので、ステップＳ８３１へ進む。ステップＳ８３１では、ＨＤＤ３０の温度Ｔｈｄｄを確認する。ここでは、３度としているのでステップＳ８３２へ進む。ここでＨＤＤは使用可能状態である。さらにステップＳ８３３において表示部１８に対して、気温が低下した内容の警告メッセージを表示する。そうすれば使用者は、使用環境温度が低下しすぎであることを認知することができる。
【００４９】
さらに、使用環境温度Ｔｏｕｔが−１１度で、ＨＤＤの温度Ｔｈｄｄが−１度となった場合を考えてみる。
【００５０】
まず、ステップＳ８０１において使用環境温度Ｔｏｕｔを確認する。ここでは、使用環境温度Ｔｏｕｔを−１１度としているので、ステップＳ８４１へ進む。ステップＳ８４１では、ＨＤＤ３０の温度Ｔｈｄｄを確認する。ここでは、−１度としているのでステップＳ８４４へ進む。ここでＨＤＤ３０は使用限界温度Ｔｈを下回ったので、ＨＤＤ３０は使用不可となる。
【００５１】
加温すれば使用できるケースが考えられるが、使用環境温度Ｔｏｕｔが、−１０度より低いため、加温しても使用限界温度Ｔｈを上回る可能性は低い。ここでは、定期的に温度取得をしているため、使用環境温度が変化し、加温の効果があると考えられる温度に達したときに温度制御手段が動作するので、記録再生装置１は、無駄に加温することは無く消費電力を削減できる。
【００５２】
次に、記録中の温度比較制御処理の例を説明する。図８は図５の記録中の温度比較制御処理対応表をフローチャートにしたものである。ここでは、使用環境温度Ｔｏｕｔが、１度で、ＨＤＤ３０の温度Ｔｈｄｄが３度で記録中であることを想定する。
【００５３】
まず、Ｓ９０１において使用環境温度Ｔｏｕｔを確認する。ここでは使用環境温度Ｔｏｕｔを１度としたので、ステップＳ９１１へ進む。ここでは、ＨＤＤ３０の温度Ｔｈｄｄは、３度なのでステップＳ９１２において、記録継続である状態を示す。ここで、使用環境温度が、−６度に変化したとする。
【００５４】
まず、Ｓ９０１において使用環境温度Ｔｏｕｔを確認する。ここでは使用環境温度Ｔｏｕｔを−６度になったので、ステップＳ９３１へ進む。ここでは、ＨＤＤ３０の温度Ｔｈｄｄは、３度なのでステップＳ９３２において記録継続のまま使用者に対して、外気温が変化した内容の警告メッセージを表示する。さらに、温度制御手段２を実行する。ここでの温度制御手段２は、ダミー信号を書き込むことであるが、記録中は、バッファＲＡＭ１５にデータを有る程度ためておいて、あるまとまった単位でＨＤＤ３０に書き込む間欠記録を行っている。そのため、バッファＲＡＭ１５に記録データをためている間は、ＨＤＤ３０は、書き込み動作を行っていないことになる。そのため、加温のためにＨＤＤ３０が書き込みを行っていない間は、ダミー信号の記録を行い、ＨＤＤ３０の温度Ｔｈｄｄをなるべく下げないようにする。
【００５５】
ここでダミー信号の記録は、使用者が記録する領域を減らさないように、メーカー管理領域と呼ばれる領域へ書き込む。一般的に、ＨＤＤをはじめとしたディスク記録媒体では、使用者がデータの記録再生を行う通常記録再生領域と、通常記録再生領域とは別領域で、同様にデータの記録再生可能なメーカー管理領域が存在する。ここでのダミー信号の書き込みは、メーカー管理領域に行うものとする。
【００５６】
さらに、使用環境温度Ｔｏｕｔが、−９度になり、ＨＤＤ３０の温度が−１度となったとすると、ステップＳ９０１からＳ９３１へ進み、ステップＳ９３５においてＨＤＤ３０を使用不可とする。
【００５７】
記録中に温度が使用限界温度Ｔｈを下回った場合は、ＨＤＤ３０は記録によって十分加温されていたにもかかわらず、使用限界温度Ｔｈの０度を下回ってしまったわけであるから、使用環境温度Ｔｏｕｔが使用限界温度Ｔｈを上回るまで、加温してもＨＤＤ３０は使用できない可能性が十分にある。記録中に停止した場合は、定期的に温度を取得するが、ある一定期間、ここでは使用環境温度Ｔｏｕｔ＞０になるまでＨＤＤ３０を使用禁止とする。使用環境温度Ｔｏｕｔが０度を超えると停止状態の温度比較制御手段を使用し、ＨＤＤ３０の加温を行ってＨＤＤ３０を使用できる環境に近づける。
【００５８】
以上のように、実施の形態においては、使用環境温度Ｔｏｕｔを測定する温度センサ３５を用い、使用環境温度を測定し、ＨＤＤ３０の温度Ｔｈｄｄと比較することでＨＤＤ３０の温度が上昇する方向なのか低下する方向なのかを予測することができ、適切な温度制御手段を選択することができるため、消費電力の削減につながる。
【００５９】
また、使用環境温度の変化を使用者に通知することで、使用者は、撮影場所の変更や、使用環境を変えることが可能となる。
【００６０】
温度比較制御処理は、一定時間間隔で、定期的に行うことでＨＤＤ使用不可能とした後でも、温度測定を定期的に実施するため、ＨＤＤの温度Ｔｈｄｄが復帰すれば再度使用可能になることができ、また温度制御手段実行中であっても、使用環境温度Ｔｏｕｔが変化する可能性が有あるので、定期的に実行し、状態が変化できるようにすることが望ましい。ＨＤＤ３０の起動時、およびアクセス前に行ってもよい。
【００６１】
また、本発明の記録再生装置１は、ＨＤＤ３０が使用不可状態であっても半導体メモリ２４の動作を制限するものではないので、半導体メモリに記録してもかまわない。
【００６２】
また、温度センサ３１については、ＨＤＤ３０に内蔵された温度センサを用いたが、ＨＤＤ３０の外部に設定してもかまわない。
【００６３】
また、本発明の実施の形態では、温度制御手段１をＨＤＤ３０のメディアを回転させること、温度制御手段２を、書き込み動作を行うことで温度上昇を図ることとしたが、必ずしもこれである必要は無く、例えば、ヒーターなどを使用して、外部からＨＤＤの温度を制御しても問題ない。
【００６４】
また、本発明の実施の形態では、温度制御手段を２種類の温度制御手段で説明したが、１種類、もしくは２種類以上の温度制御手段を用いてもかまわない。
【００６５】
また、本発明の実施の形態では、温度設定を４つの区分、動作状態を起動、記録、停止の３つに分けて説明したが、さらに細かく分類してもよい。さらに、温度差ΔＴ＝Ｔｏｕｔ−Ｔｈｄｄの情報を用いて、比較判定処理を構成しても良い。また、低温時を例としたが、高温でも同様にすることができる。
【００６６】
また、本発明における温度測定手段としては、本発明の実施の形態のような温度センサでなくても、温度変化を示す要素を検出する手段であれば特に限定はしない。
【００６７】
また、本発明の実施の形態では、記録再生手段としてＨＤＤを例に挙げたが、例えばＤＶＤなどでも問題なく、特に限定するものではない。
【００６８】
また、温度制御手段２について、ダミー信号の記録は、メーカー管理領域に記録するとしたが、通常記録再生領域に記録してもかまわない。
【産業上の利用可能性】
【００６９】
本発明にかかる記録再生装置は、内蔵されたＨＤＤの温度予測し温度制御手段を効率的に選択することで消費電力を削減できる機能を有し、デジタルビデオカメラなどの記録メディアに対して、低温や高温時における記録制限が必要な場合の温度制御として有用である。
【図面の簡単な説明】
【００７０】
【図１】本発明の実施の形態における記録再生装置のブロック図
【図２】本発明の実施の形態における記録再生装置のフローチャート
【図３】本発明の実施の形態における記録再生装置の起動状態における温度比較制御処理の処理内容を示す図
【図４】本発明の実施の形態における記録再生装置の停止状態における温度比較制御処理の処理内容を示す図
【図５】本発明の実施の形態における記録再生装置の記録状態における温度比較制御処理の処理内容を示す図
【図６】本発明の実施の形態における記録再生装置の起動状態における温度比較制御処理のフローチャート
【図７】本発明の実施の形態における記録再生装置の停止状態における温度比較制御処理のフローチャート
【図８】本発明の実施の形態における記録再生装置の記録状態における温度比較制御処理のフローチャート
【符号の説明】
【００７１】
１    記録再生装置
１１  レンズ
１２  ＣＣＤセンサ（撮像素子）
１３  アナログ−デジタル変換部
１４  カメラ信号処理回路
１５  バッファＲＡＭ
１６  画像圧縮・伸長処理部
１７  操作入力部
１８  液晶パネル（表示部）
１９  外部接続インターフェース
２０  主制御部
２１  ＲＯＭ
２２  ＲＡＭ
２３  記録メディアコントローラ
２４  半導体メモリ
３０  ハードディスクドライブ（ＨＤＤ）
３１  温度センサ
３２  温度制御部１
３３  温度制御部２
３４  温度センサ
４０  電源供給部
４１  バッテリー
【図２】
2009140595.tif 000003
【図３】
2009140595.tif 000004
【図４】
2009140595.tif 000005
【図５】
2009140595.tif 000006
【図６】
2009140595.tif 000007
【図７】
2009140595.tif 000008
【図８】
2009140595.tif 000009
【図１】
2009140595.tif 000010